(57)【要約】 【課題】植物栽培上の利用価値を向上させ得る植物栽培用の棒材を提供する。【解決手段】棒材外面１２に、その長さ方向に延長する不連続突起列１１を、周方向に９０度の角度ピッチで設ける。不連続突起列１１は、植物の茎や蔓の引っ掛かりとなり、又、植物の茎を棒材に結着した際の該結着材のずり落ちを防止する引っ掛かりとなる。隣り合う不連続突起列１１，１１間の平滑な棒材外面１２に目盛り突部１３を一定間隔で設ける。目盛り突部１３と不連続突起列１１との間に排水間隙１９を設ける。目盛り突部１３は、棒材に物差し機能を付与する。【選択図】図３
2008067611.tif 000002
【特許請求の範囲】
【請求項１】
植物栽培用の棒材であって、棒材外面にその長さ方向に不連続突起列が設けられると共に、該不連続突起列の側方に位置させて該棒材外面に目盛り突部が突設されてなり、該不連続突起列は、植物の茎や蔓の引っ掛かりとなったり、植物の茎を棒材に結着した際の該結着材のずり落ちを防止する等の引っ掛かりとなる引っ掛かり突起が、前記棒材の長さ方向に不連続状態で突設されてなり、又前記目盛り突部は、平滑な棒材外面に棒材の長さ方向に一定間隔で突設されてなり、該目盛り突部と前記不連続突起列との間には間隙が設けられていることを特徴とする植物栽培用の棒材。
【請求項２】
前記間隙は、前記棒材外面に付着した雨水を流下させる為の排水間隙であることを特徴とする請求項１記載の植物栽培用の棒材。
【請求項３】
前記排水間隙は１ｍｍ以上の幅であることを特徴とする請求項２記載の植物栽培用の棒材。
【請求項４】
支柱として構成された植物栽培用の棒材であって、該支柱相互を連結する直線状の連結材を、前記平滑な棒材外面に当接させることができ、該当接状態にある連結材を前記目盛り突部で下方から支持可能となされていることを特徴とする請求項１又は２記載の植物栽培用の棒材。
【請求項５】
前記目盛り突部は、棒材の周方向に長い節状に形成されていることを特徴とする請求項１又は２記載の植物栽培用の棒材。
【請求項６】
前記不連続突起列が、棒材の周方向に９０度の角度を置いて設けられており、隣り合う不連続突起列間に存する平滑な棒材外面に前記目盛り突部が突設されていることを特徴とする請求項１又は２記載の植物栽培用の棒材。
【請求項７】
前記目盛り突部の表面は、球面状に形成されていることを特徴とする請求項１又は２記載の植物栽培用の棒材。
【発明の詳細な説明】
【技術分野】
【０００１】
本発明は、植物を支持する支柱や、該支柱相互を連結する連結材として等、植物栽培の用途に広く使用できるばかりか、植物栽培上の各種位置決めに際して物差しとしても使用できる植物栽培用の棒材に関するものである。
【背景技術】
【０００２】
胡瓜等の蔓性植物の蔓や茎を下方にスリップさせることなく支柱に巻き付かせることができ、又、植物の茎を支柱に結着した際の該結着材のずり落ちを防止して植物を上方向に正常に成長させ得るように構成された植物栽培用の支柱ａとしては、図２２〜２３に示すような、引っ掛かり用の突起ｂを支柱の長さ方向に不連続状態で突設してなる不連続突起列ｃが支柱外面ｄに設けられたものが提供されている。
【０００３】
かかる不連続突起列ｃを具える支柱ａは、植物を安定的に支持できる点では機能的に優れたものであったが、例えば図２４に示すような胡瓜棚等の植物栽培棚を構成する際にも、その作業を正確且つ能率的に行い得ることが望まれる。例えば、各支柱ａの立設に際しては、各支柱ａの下端側の部分ｅを地面ｆに突き刺すに当たりその突き刺し長さを一定にする作業や、支柱ａの立設間隔を一定に設定する作業を正確且つ能率的に行い得ることが望まれる。又、支柱相互を連結材ｇで連結するときには、該連結材ｇによる各支柱ａの連結部位の高さを一定に設定する作業を正確且つ能率的に行い得ることが望まれる。又、並設された支柱列ｈの外面を覆うようにネットｊを取り付けたり（図２４）、支柱相互を連結材ｇで連結して構成した支柱枠体ｋの上部分を覆うように雨避けシートｍを被せる際（図２５）には、該ネットｊの下端ｎや該雨避けシートｍの下端ｐを水平状態に見栄えよく揃える作業を正確且つ能率的に行い得ることが望まれる。更には、畝幅を所要に設定したり、植物を植えるときの間隔設定に際しても、これらの作業を正確且つ能率的に行い得ることが望まれる。
【０００４】
しかしながら従来の不連続突起列付きの支柱ａには、目盛りとなるものが何ら設けられていなかったために、かかる要求に応じにくい問題があった。
【０００５】
【特許文献１】特開２０００−１５７０６５号公報
【特許文献２】実用新案登録第３０９６２５１号公報
【発明の開示】
【発明が解決しようとする課題】
【０００６】
本発明は、かかる従来の問題点に鑑みて開発されたものであり、物差し機能を付与すことを基本として植物栽培上の利用価値を向上させ得る植物栽培用の棒材の提供を課題とするものである。
【課題を解決するための手段】
【０００７】
前記課題を解決するため本発明は以下の手段を採用する。
即ち本発明に係る植物栽培用の棒材は、棒材外面にその長さ方向に不連続突起列が設けられると共に、該不連続突起列の側方に位置させて該棒材外面に目盛り突部が突設されてなり、該不連続突起列は、植物の茎や蔓の引っ掛かりとなったり、植物の茎を棒材に結着した際の該結着材のずり落ちを防止する等の引っ掛かりとなる引っ掛かり突起が、前記棒材の長さ方向に不連続状態で突設されてなり、又前記目盛り突部は、平滑な棒材外面に棒材の長さ方向に一定間隔で突設されてなり、該目盛り突部と前記不連続突起列との間には間隙が設けられていることを特徴とするものである。
【０００８】
前記間隙は、前記棒材外面に付着した雨水を流下させる為の排水間隙として機能させることができ、その場合、該排水間隙の幅を１ｍｍ以上に設定する。
【０００９】
前記植物栽培用の棒材を支柱として構成する場合、該支柱相互を連結する直線状の連結材を、前記平滑な棒材外面に当接させることができ、該当接状態にある連結材を前記目盛り突部で下方から支持可能とするのがよい。
【００１０】
前記目盛り突部は、棒材の周方向に長い節状に形成することがある。
【００１１】
前記不連続突起列を、棒材の周方向に９０度の角度を置いて設ける場合、隣り合う不連続突起列間に存する平滑な棒材外面に前記目盛り突部を突設するのがよい。
【００１２】
前記目盛り突部の表面は、球面状に形成するのがよい。
【発明の効果】
【００１３】
本発明は以下の如き優れた効果を奏する。
(1) 本発明に係る棒材は、棒材外面にその長さ方向に設けられた不連続突起列の側方に位置させて、棒材の長さ方向に一定間隔で目盛り突部が突設されている。
従って本発明に係る棒材は、植物の茎や蔓を下方にスリップさせることなく巻き付かせることができ、又、植物の茎を結着した結着材のずり落ちを防止する機能を具えた支柱としてや、支柱相互を連結する連結材として等、植物栽培の用途に広く使用できるのはもとより、前記目盛り突部によって物差しとしても使用できる。そして該物差し機能によって、支柱を立設するときの地面への突き刺し長さの設定や支柱の立設間隔を設定する作業、支柱相互を連結材で連結するときの連結高さを設定する作業、並設された支柱列の外面を覆うように取り付けられたネットの下端や雨避けシートの下端を水平に揃える作業、更には、植物の苗を植えるときの間隔設定をする作業等の、植物栽培上の各種位置決め作業を、正確に然も容易に行なうことができる。
【００１４】
(2) そして、前記目盛り突部と前記不連続突起列との間には排水間隙としても機能し得る間隙が設けられているため、該棒材を支柱として使用した場合、棒材外面に付着した雨水を該間隙を通して地面に向けて円滑に流下させることができ、棒材外面の劣化に伴う棒材内部での錆発生等に起因する棒材破損を防止できる。
【００１５】
(3) 又、前記目盛り突部は、平滑な棒材外面に棒材の長さ方向に一定間隔で突設されているため、例えば支柱相互を連結材で連結するときに、該連結材を平滑な棒材外面で安定的に当接させることができ、且つこの当接状態で、該連結材を前記目盛り突部で下方から支持できる。従って、該連結材を支柱に結着すると、該連結材は、該目盛り突部によって設定された所要高さ位置で、ずり落ちることなく各支柱に安定的に固定されることとなる。
【００１６】
(4) 目盛り突部を球面状に形成することにより、該目盛り突部が損傷されにくい。又、該目盛り突部に汚れが付着しにくく、土等が付着しても除去しやすい。又、目盛り突部に手が触れても怪我をしにくく安全性が高い。
【実施例１】
【００１７】
図１において本発明に係る植物栽培用の棒材（以下棒材という）１は、例えば胡瓜を栽培するための支柱枠体２を構成する支柱１ａと、支柱相互を連結する連結材１ｂとして応用されている。又図２は、該支柱１ａを立設する際の立設間隔を設定する際や、支柱相互を連結する前記連結材１ｂの連結部位の高さ設定をする際、胡瓜苗を植えるときの間隔を設定する際等に使用する物差し１ｃとしての棒材１を示すものである。
【００１８】
かかる構成を有する棒材１は、本実施例においては図３〜４に示すように、鋼製の直線状パイプ材３の外表面５に樹脂被覆６が施されてなり、全長が例えば９０〜２７０ｃｍ程度の範囲で、目的とする植物栽培に適した所要長さに設定される。本実施例においては、前記支柱１ａと物差し１ｃにあっては約１８０ｃｍに形成されると共に前記連結材１ｂにあっては約２７０ｃｍに設定されている。又該棒材１の外径は、例えば８〜２０ｍｍに、本実施例においては約１６ｍｍに設定されている。又、棒材１の上下端側の部分７，９（図２）を除く中間部分１０の棒材外面１２には、周方向に例えば９０度の角度ピッチで、棒材１の長さ方向に延長する４列の不連続突起列１１，１１，１１，１１が突設されると共に、隣り合う不連続突起列１１，１１間の平滑な棒材外面１２に目盛り突部１３が設けられている。
【００１９】
前記不連続突起列１１は、本実施例においては、支柱１ａに対する蔓の巻き付きを容易化したり、植物の茎を支柱１ａに結着した際の結着材のずり落ちを防止するためのものであり、図３〜４に示すように、上下に比較的長い引っ掛かり突起１５が棒材の長さ方向に比較的小さい間隔で突設されている。本実施例においては、該引っ掛かり突起１５の棒材周方向での厚さが約１．３ｍｍで、その突出量が約１．０ｍｍ、棒材長さ方向での長さが約５．６ｍｍ、上下隣り合う突起１５，１５間の間隔が５〜１５ｍｍに、本実施例においては約９．３ｍｍに設定されている。
【００２０】
又前記目盛り突部１３は、図３（Ｂ）、図６に示すように、正面視で、棒材１の周方向に稍長い楕円形状を呈し、その表面１６（図３（Ｂ）、図４）は球面状を呈しており、該目盛り突部１３と前記不連続突起列１１との間には、図３（Ｂ）、図６に示すように、排水間隙として機能できる間隙１９，１９が設けられている。本実施例においては、該目盛り突部１３の棒材周方向の長さが約７ｍｍに設定されると共に棒材長さ方向の長さが約６．３ｍｍに設定され、その突出量が約１．０ｍｍに設定されている。又、前記間隙１９の幅は１〜２．５ｍｍに、本実施例においては約２ｍｍに設定されている。
【００２１】
かかる構成を有する目盛り突部１３は、１０〜３０ｃｍの範囲で選択された一定間隔Ｌで設ける。好ましくは２０ｃｍ間隔又は３０ｃｍ間隔で設けるのがよく、本実施例においては３０ｃｍ間隔で設けている。そして、棒材１の一端に、図２に示すように、先端に向けて先細化する円錐状キャップ２０が嵌着されると共に、該棒材１の他端には円筒状キャップ２１が嵌着されており、該円錐状キャップ２０の先端２２と一端に位置する目盛り突部１３ａの中心間の距離Ｌ１が３０ｃｍに設定されている。又、該円筒状キャップ２０の先端２３と他端に位置する該目盛り突部１３ｂの中心間の距離Ｌ２が３０ｃｍに設定されている。
【００２２】
図１は、本発明に係る棒材１を用いて図８に示す胡瓜棚２４を構成するための支柱枠体２を示すものであり、畝幅が例えば６０ｃｍの畝２６の長さ方向に例えば６０ｃｍの間隔で、左右対向する支柱１ａ，１ａを、その上端側２７，２７を交差状態にしながら立設する。なお、該支柱枠体２を構成するに先立って、胡瓜の苗が前記畝２６に例えば６０ｃｍ程度の間隔で植えられている。この畝幅の設定や、前記支柱間の間隔、胡瓜苗間の間隔は、前記棒材１を物差として用いて容易に設定できる。
【００２３】
そして該支柱１ａの立設は、隣り合う不連続突起列１１，１１間の平滑な棒材外面１２を図５（Ａ）に示すように外向きにし、その下端側の部分２９を前記畝２６の長さ方向に、その側面３０，３０（図１）に沿って地面３１に突き刺して行なう。この突き刺し長さは、例えば、最下端に位置する目盛り突部１３ａが地面３１に接する状態となるように約３０ｃｍに設定される。この状態で、左右の支柱１ａ，１ａの上端側の交差部３２（図５（Ｂ））を図１に示すように結着材３３で結着すると共に、Ｖ字状を呈する上端突出部３５の底部で、水平に延長する上の連結材１ｂ１としての棒材１を嵌め入れ、該上の連結材１ｂ１を、図１に示すように前記左右の支柱の前記交差部３２に結着する。該上の連結材１ｂ１は前記支柱１ａと同様の構成を有しており、その長さは、前記のように２７０ｃｍに設定されている。
【００２４】
そして、前記畝２６の左右側で夫々並設状態にある支柱列３６，３６の上下中間部位において、支柱相互が中間の連結材１ｂ２としての棒材１で連結されている。該中間の連結材１ｂ２も、前記のように２７０ｃｍの長さに設定されており、該中間の連結材１ｂ２の連結部位の高さは、図５（Ａ）（Ｃ）に示すように、地面３１に接する前記目盛り突部１３ａから２個目の目盛り突部１３ｂの高さに設定されている。
【００２５】
然して該中間の連結材１ｂ２は、図６〜７に示すように、前記目盛り突部１３ｂの両側に存する不連続突起列１１，１１に接することなく前記平滑な棒材外面１２に当接でき、この状態で、該中間の連結材１ｂ２は前記２個目の目盛り突部１３ｂで下方から支持され、図１に示すように、該中間の連結材１ｂ２が前記支柱１ａに結着材３３で結着される。これにより該中間の連結材１ｂ２は、水平状態を呈すると共に、この状態で、ずり落ちることなく確実に各支柱１ａに固定されることとなる。このように中間の連結材１ｂ２を水平状態に配設できることから、支柱枠体２を安定的に構成できる。
【００２６】
前記胡瓜棚２３は、このようにして構成された支柱枠体２の左右の支柱列３６，３６の外面をネット３９で覆い該ネット３９を支柱１ａに適宜固定することによって構成される。この際、該ネット３９の下端４０が例えば図８に示すように、地面３１から支柱１ａの傾斜方向で見て３０ｃｍ程度の位置に存するように設定する。この位置設定は、各支柱１ａに設けられている前記目盛り突部１３を目印として容易に行うことができる。これにより、該ネット３９の下端４０が水平状態に見栄えよく揃うこととなる。
【００２７】
図９〜１０（Ａ）は、トマトを栽培するために構成された支柱枠体２を示すものであり、該支柱枠体２を構成する各支柱１ａは前記棒材１を以てなり、不連続突起列１１と目盛り突部１３が設けられてなる直線状棒材としての支柱１ａの上端部分が、アーチ状部４１の両下端４２，４２に、挿入連結等の手段で連結されている。なお、前記アーチ状部４１の両下端部分のみに、又はその全長に亘って、前記不連続突起列１１や前記目盛り突部１３が設けられることもある。図９〜１０（Ａ）においては、前記アーチ状部４１の両下端部分のみに不連続突起列１１を設けた場合が示されている。
【００２８】
そして該支柱１ａは、前記目盛り突部１３を目印にして下端側の部分（例えば３０ｃｍ程度の部分）２９が地面３１に突き刺されることにより立設状態とされている。そして、該支柱枠体２の上部分を覆うように雨避けシート４５を被せる際、該雨避けシート４５の下端４６が、前記目盛り突部１３を目印にして水平状態に見栄えよく揃えられる。なお図９においては便宜上、雨避けシート４５を鎖線で示している。そして図１０に示すように、前記棒材１を以てなる上端の連結材１ｂ３に設けられている目盛り突部１３を目印にして、トマトの茎を支持する紐状支持材４７を、該連結材１ｂ３に例えば結着により取り付けることができる。
【００２９】
図１１〜１２は、支柱１ａを、傾斜状態ではなく垂直状態に立設した場合を示すものである。なお図１２においては結着材が省略されている。該支柱１ａは、前記と同様にして、前記目盛り突部１３を目印にして下端側の部分（例えば３０ｃｍ程度の部分）２９が地面３１に突き刺されることにより立設状態とされている。又、支柱相互を連結する連結材１ｂが、図１２〜１３に示すように、地面３１に接する目盛り突部１３ａから例えば２個目の目盛り突部１３ｂと３個目の目盛り突部１３ｃで下方から支持された状態で、各支柱１ａの外面（棒材外面）１２に当接状態とされ、この状態で該連結材１ｂが各支柱１ａに結着材３３で結着されている。これにより該連結材１ｂは、水平状態を呈すると共にこの状態でずり落ちることなく確実に各支柱１ａに固定状態とされ、垂直立設状態の支柱枠体２が構成されている。
【００３０】
前記各支柱枠体２を構成する支柱１ａとしての棒材１にあっては、図３（Ｂ）に示すように、前記目盛り突部１３と前記不連続突起列１１との間に排水間隙１９として機能し得る間隙が設けられているために、図６に矢印で示すように、棒材外面１２に付着した雨水を円滑に地面に向けて流下させることができ、棒材外面の劣化に伴う棒材内部での錆発生に起因する棒材破損を防止できる。又、前記目盛り突部１３の表面１６は球面状に形成されているために、降雨時において上から汚れが流下したときにも該目盛り突部１３に引っ掛かりにくい。
【実施例２】
【００３１】
本発明は、前記実施例で示したものに限定されるものでは決してなく、「特許請求の範囲」の記載内で種々の設計変更が可能であることはいうまでもない。その一例を挙げれば次のようである。
【００３２】
(1) 図１４は本発明に係る棒材１の他の実施例を示すものであり、所要間隔を隔てる直線状の支柱部４９の上端相互をアーチ状部５０で一連に連結してなる倒Ｕ字状に形成されている。そして該両支柱部４９，４９の夫々の表面（棒材外面）１２には、両支柱部４９，４９の下端側の部分５１，５１を除いて、その長さ方向に不連続突起列１１が、例えば周方向に略９０度の角度を置いて設けられている。該不連続突起列１１は、植物の茎や蔓の引っ掛かりとなり、又、植物の茎を棒材１に結着した際の該結着材のずり落ちを防止する。又、隣り合う不連続突起列１１，１１間に存する平滑な支柱外面（棒材外面）１２に、棒材の長さ方向に一定間隔で、例えば３０ｃｍ間隔で、目盛り突部１３が突設されている。該目盛り突部１３は前記実施例におけると同様、正面視で、棒材の周方向に稍長い楕円形状を呈し、その表面１６は球面状を呈しており、該目盛り突部１３と前記不連続突起列１１との間には排水間隙として機能し得る間隙１９が設けられている。
【００３３】
本発明に係る棒材１をこのように倒Ｕ字状に構成する場合、図１５に示すように、前記不連続突起列１１及び目盛り突部１３を、前記アーチ状部４１も含めて棒材の略全体に亘って設けることもある。
【００３４】
本実施例においては、並置された支柱部相互を、図１に示すと同様にして直線状を呈する別の棒材からなる連結材で連結することを予定して、目盛り突部１３が突設される平滑な棒材外面１２が図１４に示すように外側方に位置するように、４列の不連続突起列１１の配置状態が設定されている。
【００３５】
(2) 図１６は、本発明に係る棒材１を倒Ｕ字状に構成した他の態様を示すものであり、両支柱部４９，４９が下方に向かって末広がりに構成されている点を除いては図１４〜１５に示すと同様の構成を有し、図１４〜１５におけると同様部位には同一の符号が付されている。
【００３６】
(3) 図１８は、直線状棒材１としての支柱１ａ，１ａの上端５２，５２相互を蝶番部材５３を介して連結することにより該一対の支柱１ａ，１ａを開閉可能に構成した場合を示すものである。そして両支柱１ａ，１ａの夫々の表面（棒材外面）１２には、周方向に例えば９０度の角度ピッチで、棒材１の長さ方向に延長する４列の不連続突起列１１，１１，１１，１１が突設されると共に、隣り合う不連続突起列１１，１１間の平滑な棒材外面１２に目盛り突部１３が設けられている。
【００３７】
(4) 前記目盛り突部１３は、その視認性を良好とするために、前記引っ掛かり突起１５よりも突出量の大きい突部（例えば棒材の周方向に稍長い、表面が球面状を呈する突部や、半球状の突部等）として構成することもある。
【００３８】
(5) 前記目盛り突部１３は、視認可能で目盛りとして機能できるものであれば、その大きさや形状は問わない。図１９は目盛り突部１３の他の態様を示すものであり、周方向に長い節状に形成されており、該目盛り突部と前記不連続突起列１１との間には排水間隙として機能し得る間隙１９，１９が設けられている。
【００３９】
(6) 前記実施例においては、棒材外面１２に略９０度の角度を置いて不連続突起列１１を設けた場合を示したが、植物の茎や蔓の引っ掛かりを可能とするものであれば、該不連続突起列１１を、図２０に示すように、周方向で見て５列や３列、２列、１列等で設けることもある。そして前記目盛り突部１３は、このように設けられた不連続突起列１１の側方に位置させて、平滑な棒材外面１２に棒材の長さ方向で一定間隔で突設される。又、何れの場合も、該目盛り突部１３と前記不連続突起列１１との間には排水間隙として機能し得る間隙１９，１９が設けられる。
【００４０】
(7) 図３においては、隣り合う不連続突起列１１，１１における引っ掛かり突起１５，１５が対向状態にあるものを記載しているが、図２１に示すように、隣り合う引っ掛かり突起１５，１５が上下方向で位置ずれすることもある。そして図３においては、前記目盛り突部１３が前記引っ掛かり突起１５と位置ずれしている場合が記載されているが、該目盛り突部１３と引っ掛かり突起１５とが、棒材の長さ方向で位置ずれするか否かは問わない。
【００４１】
(8) 本発明に係る棒材１は、前記実施例においては、鋼製のパイプ材３の外表面に樹脂被覆６を施すことによって構成されているが、該棒材１は、鋼製のパイプ材３を用いることなく全体が一体の樹脂製パイプとして構成されることもある。
【図面の簡単な説明】
【００４２】
【図１】本発明に係る棒材を用いて構成した胡瓜棚用の支柱枠体を示す斜視図である。
【図２】本発明に係る棒材を物差しとして用いた正面図である。
【図３】棒材を説明する斜視図である。
【図４】棒材を説明する断面図である。
【図５】支柱枠体を構成する支柱と連結材の組み合わせ状態を示す斜視図である。
【図６】支柱に設けられている目盛り突部で連結材を下方から支持した状態を示す側面図である。
【図７】その平面図である。
【図８】本発明に係る棒材を用いて構成した胡瓜棚を示す斜視図である。
【図９】本発明に係る棒材を用いて構成した雨避けを示す斜視図である。
【図１０】その雨避けの部分拡大図である。
【図１１】本発明に係る棒材を用いて構成した支柱枠体の他の態様を示す斜視図である。
【図１２】その部分拡大図である。
【図１３】支柱に設けられている目盛り突部で連結材を下方から支持した状態を示す側面図である。
【図１４】倒Ｕ字状に構成された棒材を示す斜視図である。
【図１５】その上側のアーチ状部を示す斜視図である。
【図１６】倒Ｕ字状に構成された棒材の他の態様を示す斜視図である。
【図１７】その上側のアーチ状部を示す斜視図である。
【図１８】棒材を用いて構成した支柱の上端相互を蝶番部材で連結した開閉式支柱をその使用状態で示す部分斜視図である。
【図１９】目盛り突部の他の態様を示す斜視図である。
【図２０】棒材のその他の態様を示す断面図である。
【図２１】本発明に係る棒材のその他の態様を示す斜視図である。
【図２２】不連続突起列が設けられた従来の直線状の支柱を示す斜視図である。
【図２３】不連続突起列が設けられた従来の倒Ｕ字状の支柱を示す斜視図である。
【図２４】直線状の支柱を用いて構成された従来の胡瓜棚を示す斜視図である。
【図２５】倒Ｕ字状を呈する支柱を用いて構成された従来の雨避けを示す斜視図である。
【符号の説明】
【００４３】
１  棒材
１ａ  支柱
１b   連結材
２  支柱枠体
６  樹脂被覆
１１  不連続突起列
１２  棒材外面
１３  目盛り突部
１５  突起
１９  間隙
２３  胡瓜棚
２５  支柱枠体
２６  畝
３９  ネット
４５  雨避けシート
４７  紐状支持材
４９  支柱部
５０  アーチ状部
【図１】
2008067611.tif 000003
【図２】
2008067611.tif 000004
【図３】
2008067611.tif 000005
【図４】
2008067611.tif 000006
【図５】
2008067611.tif 000007
【図６】
2008067611.tif 000008
【図７】
2008067611.tif 000009
【図８】
2008067611.tif 000010
【図９】
2008067611.tif 000011
【図１０】
2008067611.tif 000012
【図１１】
2008067611.tif 000013
【図１２】
2008067611.tif 000014
【図１３】
2008067611.tif 000015
【図１４】
2008067611.tif 000016
【図１５】
2008067611.tif 000017
【図１６】
2008067611.tif 000018
【図１７】
2008067611.tif 000019
【図１８】
2008067611.tif 000020
【図１９】
2008067611.tif 000021
【図２０】
2008067611.tif 000022
【図２１】
2008067611.tif 000023
【図２２】
2008067611.tif 000024
【図２３】
2008067611.tif 000025
【図２４】
2008067611.tif 000026
【図２５】
2008067611.tif 000027